【手続補正書】
【提出日】平成27年12月7日(2015.12.7)
【手続補正１】
【補正対象書類名】明細書
【補正対象項目名】発明の名称
【補正方法】変更
【補正の内容】
【発明の名称】電子写真画像形成装置本体に着脱可能なカートリッジ
【手続補正２】
【補正対象書類名】明細書
【補正対象項目名】０００１
【補正方法】変更
【補正の内容】
【０００１】
本発明は、電子写真画像形成装置に用いられるカートリッジに関するものである。
【手続補正３】
【補正対象書類名】特許請求の範囲
【補正対象項目名】全文
【補正方法】変更
【補正の内容】
【特許請求の範囲】
【請求項１】
回転可能な本体側係合部を有する電子写真画像形成装置本体に対し着脱可能であって、前記本体側係合部の回転軸線に対し略直交する所定方向に移動した後に、前記装置本体の外側に取り外し可能なカートリッジにおいて、
（ｉ）現像剤を担持して回転可能な回転体と、
（ｉｉ）その内側に収納部を有し、前記回転体に伝達するための回転力が伝達される回転可能な回転力被伝達部材と、
（ｉｉｉ）回転可能なカップリング部材であって、（ｉｉｉ−ｉ）前記本体側係合部から前記回転力を受ける回転力受け部を有する自由端部と、（ｉｉｉ−ｉｉ）前記カートリッジの前記所定方向への移動に伴い前記回転力受け部が前記本体側係合部から離脱するべく前記カップリング部材の回転軸線が前記回転力被伝達部材の回転軸線に対し傾動可能となるように、前記収納部に少なくともその一部が収納されるように前記回転力被伝達部材に結合された結合部と、（ｉｉｉ−ｉｉｉ）前記結合部を貫通する貫通穴と、を有するカップリング部材と、
（ｉｖ）前記カップリング部材から前記回転力を受け得て前記カップリング部材が前記回転力被伝達部材から脱落するのを規制し得るとともに前記カップリング部材の前記傾動を許容するよう前記貫通穴を貫通しており、その両端がそれぞれ前記回転力被伝達部材に支持された軸部と、
を有することを特徴とするカートリッジ。
【請求項２】
前記軸部は、前記収納部の内部に配置されていることを特徴とする請求項１に記載のカートリッジ。
【請求項３】
前記軸部が前記貫通穴の内側に当接することにより、前記カップリング部材が前記回転力被伝達部材から脱落するのを規制するよう構成されたことを特徴とする請求項１または２に記載のカートリッジ。
【請求項４】
前記軸部が前記貫通穴の内側に当接することにより、前記カップリング部材から前記軸部に前記回転力が伝達されるように構成されたことを特徴とする請求項１乃至３のいずれか１項に記載のカートリッジ。
【請求項５】
前記軸部は、前記回転力被伝達部材の回転軸線に対し略直交する方向に延びて配置されていることを特徴とする請求項１乃至４のいずれか１項に記載のカートリッジ。
【請求項６】
前記貫通穴は、前記カップリング部材の回転軸線に対し略直交する方向に開口していることを特徴とする請求項１乃至５のいずれか１項に記載のカートリッジ。
【請求項７】
前記貫通穴の断面積は、前記カップリング部材の回転軸線の近傍において最小であるように構成されたことを特徴とする請求項１乃至６のいずれか１項に記載のカートリッジ。
【請求項８】
前記貫通穴の断面積は、前記カップリング部材の回転軸線から離れるに従って大きくなるように構成されたことを特徴とする請求項７に記載のカートリッジ。
【請求項９】
前記カップリング部材の回転軸線と前記回転力被伝達部材の回転軸線とが一致した状態において、前記貫通穴の内側のうち前記カップリング部材の回転軸線の近傍の部分と前記軸部とが当接することにより前記カップリング部材の前記回転力被伝達部材からの脱落が規制されることを特徴とする請求項１乃至８のいずれか一項に記載のカートリッジ。
【請求項１０】
前記回転力被伝達部材の回転軸線の方向に前記カップリング部材が移動可能となるように、前記貫通穴が、前記軸部に対して遊びを有していることを特徴とする請求項１乃至９のいずれか１項に記載のカートリッジ。
【請求項１１】
前記結合部の最大外径部が、前記収納部の内側から外側に移動可能に構成されたことを特徴とする請求項１０に記載のカートリッジ。
【請求項１２】
前記結合部の最大外径部が前記収納部の外側に移動した状態において、前記回転力被伝達部材の回転軸線に対し直交する方向に前記カップリング部材が移動可能となるように構成され、
前記結合部の最大外径部が前記収納部の内側に位置している状態においては、前記回転力被伝達部材の回転軸線に対し直交する方向に前記カップリング部材が移動しないように構成されていることを特徴とする請求項１１に記載のカートリッジ。
【請求項１３】
前記回転力被伝達部材は、
ｉ）前記回転力被伝達部材の回転軸線を挟んで前記回転力被伝達部材の回転軸線の方向と平行に貫通した一対の穴と、
ｉｉ）前記回転力被伝達部材の回転軸線の方向に沿って前記収納部側から見たときに前記一対の穴のそれぞれの一部を覆っており、前記回転力被伝達部材の回転軸線に対し交差する方向に突出した一対の抜け止め部と、
ｉｉｉ）前記回転力被伝達部材の回転軸線の方向に沿って前記収納部側から見たときに、前記抜け止め部の背後に位置し、前記軸部から前記回転力を受ける一対の回転力被伝達部と、を有することを特徴とする請求項１乃至１２のいずれか１項に記載のカートリッジ。
【請求項１４】
一対の突出部を有する規制部材を有し、
前記回転力被伝達部材の回転軸線に沿って前記収納部とは反対側から前記一対の穴に前記一対の突出部が挿入されて、前記規制部材と前記回転力被伝達部材とが結合されていることを特徴とする請求項１３に記載のカートリッジ。
【請求項１５】
前記軸部の両端のぞれぞれは、前記突出部の先端と前記抜け止め部と前記回転力被伝達部とによって保持されていることを特徴とする請求項１４に記載のカートリッジ。
【請求項１６】
前記軸部の両端が前記一対の穴に挿入された後に前記軸部が前記回転力被伝達部材の回転軸線の周りに回転することにより、前記軸の両端のそれぞれを前記一対の抜け止め部のぞれぞれの背後に移動させ、その状態で、前記一対の穴に前記一対の突出部を挿入することにより、前記軸部が前記回転力被伝達部材によって支持されていることを特徴とする請求項１４または１５に記載のカートリッジ。
【請求項１７】
前記軸部の両端は、前記回転力被伝達部材の回転軸線の方向に沿って前記収納部に挿入された後に、前記軸部が前記回転力被伝達部材の回転軸線の周りに回転するように構成されたことを特徴とする請求項１６に記載のカートリッジ。
【請求項１８】
前記回転力被伝達部材は、前記回転力被伝達部材の回転軸線を挟んで前記収納部側から前記回転体側に凹んだ一対の凹部を有し、
前記軸部の両端を前記一対の凹部に挿入した状態で、カシメまたは樹脂の注入により前記凹部の入口を塞ぐことによって、前記軸部が前記回転力被伝達部材によって支持されていることを特徴とする請求項１乃至１２のいずれか１項に記載のカートリッジ。
【請求項１９】
前記結合部は、略球形状であることを特徴とする請求項１乃至１８のいずれか１項に記載のカートリッジ。
【請求項２０】
前記結合部は、前記結合部の他の部分より凹んだ被傾動規制部を有することを特徴とする請求項１乃至１９のいずれか一項に記載のカートリッジ。
【請求項２１】
前記被傾動規制部は平面形状であることを特徴とする請求項２０に記載のカートリッジ。
【請求項２２】
前記被傾動規制部は凹んだ円錐面であることを特徴とする請求項２０に記載のカートリッジ。
【請求項２３】
前記被傾動規制部は円錐面であることを特徴とする請求項２０に記載のカートリッジ。
【請求項２４】
前記カップリング部材は、その回転軸線の方向に沿って前記自由端部側から前記貫通穴まで貫通した第一の穴部を有することを特徴とする請求項１乃至２３のいずれか１項に記載のカートリッジ。
【請求項２５】
前記カップリング部材は、前記第一の穴部の内部に前記カップリング部材の回転軸線に対し交差する方向に延びたリブを有することを特徴とする請求項２４に記載のカートリッジ。
【請求項２６】
前記回転力被伝達部材は、その回転軸線に沿って貫通した第二の穴部を有することを特徴とする請求項１乃至２５のいずれか１項に記載のカートリッジ。
【請求項２７】
前記回転力被伝達部材は、前記回転体の端部に固定されていることを特徴とする請求項１乃至２６のいずれか１項に記載のカートリッジ。
【請求項２８】
前記回転体は感光体ドラムであることを特徴とする請求項１乃至２７のいずれか１項に記載のカートリッジ。
【請求項２９】
前記回転体は現像ローラであることを特徴とする請求項１乃至２７のいずれか１項に記載のカートリッジ。